【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
装置であって、
第２のおよび第３のポートに連結された第１のポートを持つ３つのポート回路を提供するための手段と、
接地に前記第２のおよび第３のポートを連結するように構成された整合するための手段とを備え、
整合するための前記手段は、
第１のノードと前記第２のポートとの間に連結された整合するための第１の手段と、
前記第１のノードと前記第３のポートとの間に連結された整合するための第２の手段と、
前記第１のノードと接地との間に連結された整合するための第３の手段とを備え、
前記装置はさらに、
前記第１のおよび第２のポートとの間を連結するための手段としての第１の送信ラインと、
第１のおよび第３のポートとの間を連結するための手段としての第２の送信ラインとを備え、
前記第１の送信ライン、前記第２の送信ライン、整合するための前記第１の手段、整合するための前記第２の手段、および、整合するための前記第３の手段は、選択された特性インピダンス値に整合された前記第１のポートにおいて見られる結合されたインピダンス値を提供するように構成された、装置。
【請求項２】
前記選択された特性インピダンス値は、５０オームに設定された、請求項１に記載の装置。
【請求項３】
整合するための前記第１の手段、整合するための前記第２の手段、および、整合するための前記第３の手段は、前記第１のおよび第２の送信ラインのサイズを調整するように構成された請求項１に記載の装置。
【請求項４】
整合するための前記第１の手段および整合するための前記第２の手段は、前記第２のおよび第３のポートとの間の間隔を増加させるように構成された請求項１に記載の装置。
【請求項５】
前記第１の送信ライン、前記第２の送信ライン、整合するための前記第１の手段、整合するための前記第２の手段、および、整合するための前記第３の手段は、選択された特性インピダンス値に整合された前記第２のポートにおいて見られる結合されたインピダンス値を提供するように構成された、請求項１に記載の装置。
【請求項６】
前記選択された特性インピダンス値は、５０オームに設定された、請求項５に記載の装置。
【請求項７】
前記装置は、双方向の受動的なパワー結合器／分配器を形成する請求項１に記載の装置。
【請求項８】
前記双方向の受動的なパワー結合器／分配器は、トランシーバにおける使用のために構成される請求項７に記載の装置。
【手続補正２】
【補正対象書類名】明細書
【補正対象項目名】００３９
【補正方法】変更
【補正の内容】
【００３９】
[0047]  開示された典型的な実施態様の説明は、任意の当業者に、本発明の製造または使用を可能にするように提供される。これらの典型的な実施態様への様々な修正は、当業者にとって容易に明らかであり、ここに定義された一般的な原理は、本発明の精神または範囲から逸脱することなく、他の実施態様にも適用されうる。したがって、本発明は、本明細書に示された典型的な実施態様に限定されるようには意図されず、本明細書に開示された原理および新規な特徴と一致する最も広い範囲を与えられることとなる。
以下に、出願当初の特許請求の範囲に記載された発明を付記する。
［Ｃ１］
第２のおよび第３のポートに連結された第１のポートを持つ３つのポート回路と、接地に前記第２のおよび第３のポートを連結するように構成された整合回路とを備えた装置。
［Ｃ２］
前記整合回路は、第１のノードと前記第２のポートとの間に連結された第１の整合回路と、前記第１のノードと前記第３のポートとの間に連結された第２の整合回路、および、前記第１のノードと接地との間に連結された第３の整合回路を備えるＣ１に記載の装置。
［Ｃ３］
前記第１のポートと前記第２のポートとの間に連結された第１の送信ラインおよび、前記第１のポートと前記第３のポートとの間に連結された第２の送信ラインをさらに備える、Ｃ２に記載の装置。
［Ｃ４］
前記第１のおよび第２の送信ライン、および前記第１の、第２のおよび第３の整合回路は、選択された特性インピダンス値に整合された前記第１のポートにおいて見られる結合されたインピダンス値を提供するように構成された、Ｃ３に記載の装置。
［Ｃ５］
前記選択された特性インピダンス値は、５０オームに設定されたＣ４に記載の装置。
［Ｃ６］
前記第１の、第２のおよび第３の整合回路は、前記第１のおよび第２の送信ラインのサイズを調整するように構成されたＣ３に記載の装置。
［Ｃ７］
前記第１のおよび第２の整合回路は、前記第２のおよび第３のポートとの間の間隔を増加させるように構成されたＣ２に記載の装置。
［Ｃ８］
前記第１のおよび第２の送信ライン、および前記第１の、第２のおよび第３の整合回路は、選択された特性インピダンス値に整合された前記第２のポートにおいて見られる結合されたインピダンス値を提供するように構成された、Ｃ３に記載の装置。
［Ｃ９］
前記選択された特性インピダンス値は、５０オームに設定されたＣ８に記載の装置。
［Ｃ１０］
前記装置は、双方向の受動的なパワー結合器／分配器を形成するＣ１に記載の装置。
［Ｃ１１］
前記双方向の受動的なパワー結合器／分配器は、トランシーバにおける使用のために構成されるＣ１０に記載の装置。
［Ｃ１２］
第２のおよび第３のポートに連結された第１のポートを持つ３つのポート回路を提供するための手段と、接地に前記第２のおよび第３のポートを連結するように構成された整合するための手段とを備えた装置。
［Ｃ１３］
整合するための前記手段は、第１のノードと前記第２のポートとを連結するための手段と、前記第１のノードと前記第３のポートとを連結するための手段と、前記第１のノードに接地を連結するための手段とを備えるＣ１２に記載の装置。
［Ｃ１４］
前記第１のおよび第２のポートとの間に第１の送信ラインを連結するための手段および、第１のおよび第３のポートとの間に第２の送信ラインを連結するための手段をさらに備える、Ｃ１３に記載の装置。
［Ｃ１５］
前記第１の送信ライン、前記第２の送信ライン、前記第２のポートを連結するための前記手段、前記第１のノードを連結するための前記手段、および、前記接地を連結するための前記手段は、選択された特性インピダンス値に整合された前記第１のポートにおいて見られる結合されたインピダンス値を提供するように構成された、Ｃ１４に記載の装置。
［Ｃ１６］
前記第２のポートを連結するための前記手段、前記第１のノードを連結するための前記手段、および、前記接地を連結するための前記手段は、前記第１のおよび第２の送信ラインのサイズを調整するように構成されたＣ１４に記載の装置。
［Ｃ１７］
前記第２のポートを連結するための前記手段、前記第１のノードを連結するための前記手段は、前記第２のおよび第３のポートとの間の間隔を増加させるように構成されたＣ１４に記載の装置。
［Ｃ１８］
前記第１の送信ライン、前記第２の送信ライン、前記第２のポートを連結するための前記手段、前記第１のノードを連結するための前記手段、および、前記接地を連結するための前記手段は、選択された特性インピダンス値に整合された前記第２のポートにおいて見られる結合されたインピダンス値を提供するように構成された、Ｃ１４に記載の装置。
［Ｃ１９］
前記装置は、双方向の受動的なパワー結合器／分配器を形成するＣ１２に記載の装置。
［Ｃ２０］
前記双方向の受動的なパワー結合器／分配器は、トランシーバにおける使用のために構成されるＣ１９に記載の装置。